(57)【要約】【課題】熱交換器を支持するフレームとそれ以外のフレームとに分割して構成された背面フレームにおいて、熱交換器を支持するフレーム以外のフレームが据付板に支持される場合であっても、室内の側壁面に安全に設置することができる空調室内機の提供。【解決手段】空調室内機は、据付板９０を介して室内の側壁面に設置される壁掛け型の空調室内機であって、第１フレームと第２フレームとを有する背面フレームを備える。第１フレームは、熱交換器を支持する熱交換器支持部と、据付板９０の被係合部９１に引っ掛かり可能な第１係合部２５とを含む。第２フレームは、被係合部９１に引っ掛かり可能な第２係合部３３を含む。さらに、第１フレームと第２フレームとは、第１係合部２５及び第２係合部３３が被係合部９１に上方から引っ掛かることで、据付板９０に支持される。【選択図】図３
2014185794.tif 000002
【特許請求の範囲】
【請求項１】
据付板（９０）を介して室内の側壁面に設置される壁掛け型の空調室内機であって、
熱交換器（１４）と、
前記熱交換器を支持する熱交換器支持部（２６）と前記据付板の被係合部（９１）に引っ掛かり可能な第１係合部（２５）とを含む第１フレーム（２０）と、前記被係合部に引っ掛かり可能な第２係合部（３３）を含み前記第１フレームよりも背面側に配置される第２フレーム（３０）と、を有する背面フレーム（１６）と、
を備え、
前記第１フレームと前記第２フレームとは、前記第１係合部及び前記第２係合部が前記被係合部に上方から引っ掛かることで、前記据付板に支持される、
空調室内機（１０）。
【請求項２】
前記第１フレームと前記第２フレームとは、前記第１係合部が前記第２係合部の上方から重なるように配置されることで、前記据付板に支持される、
請求項１に記載の空調室内機。
【請求項３】
前記第１係合部及び／又は前記第２係合部は、水平に延びる上面部（２５ａ，３３ａ）と、前記上面部の下面から鉛直に延びる正面部（２５ｂ，３３ｂ）と、前記上面部の前記下面から鉛直に延びており前記正面部よりも背面側に位置する背面部（２５ｃ，３３ｃ）と、を含む、
請求項１又は２に記載の空調室内機。
【請求項４】
前記第１係合部及び／又は前記第２係合部は、下方を開口させた箱状に形成されている、
請求項３に記載の空調室内機。
【請求項５】
前記第１係合部及び／又は第２係合部は、上部から下方に向かって延びるリブ（２３４ａ，２３４ｂ，３２７）を含む、
請求項３又は４に記載の空調室内機。
【請求項６】
下部に形成された下吸込み口（８３）から前記熱交換器に至る下吸込み経路（８４）、
を備え、
前記下吸込み経路は、前記第１フレーム及び前記第２フレームが共同して構成している、
請求項１から５のいずれか１項に記載の空調室内機。
【請求項７】
前記第１係合部の内側面又は前記第２係合部の外側面には、凹凸が形成されている、
請求項１から６のいずれか１項に記載の空調室内機。
【発明の詳細な説明】
【技術分野】
【０００１】
本発明は、空調室内機に関する。
【背景技術】
【０００２】
従来より、特許文献１（特開２００１−１１６３４６号公報）にも開示されているように、背面側に配置される背面フレームが熱交換器を支持するように構成された空調室内機がある。このような構成の空調室内機には、背面フレームが室内の側壁面に固定された据付板に支持されることで、空調室内機が室内の側壁面に設置される構成のものがある。
【発明の概要】
【発明が解決しようとする課題】
【０００３】
ところで、熱交換器が背面フレームによって支持される場合、背面フレームには熱交換器の重量に耐えられるだけの強度が必要になる。そして、据付板に支持される背面フレームが熱交換器を支持するフレームとそれ以外のフレームとに分割された構成であって、熱交換器を支持するフレームがそれ以外の据付板に支持されたフレームに支持されることで空調室内機が側壁面に設置される場合、フレーム同士の連結箇所に十分な強度が確保されていなければ、この連結箇所で背面フレームが折れてしまうことがあり、空調室内機を側壁面に安全に設置できないおそれがある。
【０００４】
そこで、本発明の課題は、熱交換器を支持するフレームとそれ以外のフレームとに分割して構成された背面フレームにおいて、熱交換器を支持するフレーム以外のフレームが据付板に支持される場合であっても、室内の側壁面に安全に設置することができる空調室内機を提供することにある。
【課題を解決するための手段】
【０００５】
本発明の第１観点に係る空調室内機は、据付板を介して室内の側壁面に設置される壁掛け型の空調室内機であって、熱交換器と、背面フレームと、を備える。背面フレームは、第１フレームと、第２フレームとを有する。第１フレームは、熱交換器支持部と、第１係合部と、を含む。熱交換器支持部は、熱交換器を支持する。第１係合部は、据付板の被係合部に引っ掛かることができる。第２フレームは、第２係合部を含む。第２係合部は、被係合部に引っ掛かることができる。また、第２フレームは、第１フレームよりも背面側に配置される。さらに、第１フレームと第２フレームとは、第１係合部及び第２係合部が被係合部に上方から引っ掛かることで、据付板に支持される。
【０００６】
本発明の第１観点に係る空調室内機では、第１係合部及び第２係合部が据付板の被係合部に上方から引っ掛かることで、第１フレーム及び第２フレームが据付板に支持される。このため、第１フレームが受ける熱交換器からの重量が第１フレームと第２フレームとの連結箇所に集中しないようにすることができ、この結果、第１フレーム及び第２フレームの連結箇所に大きな力が作用しないようにすることができる。
【０００７】
これによって、分割された背面フレームにおいて熱交換器を支持するフレーム以外のフレームである第２フレームが据付板に支持される場合であっても、空調室内機を室内の側壁面に安全に設置することができる。
【０００８】
なお、ここでいう「第２フレームが第１フレームよりも背面側に配置される」とは、第２フレームの全部又は第２フレームの大部分が第１フレームよりも背面側に配置されていることを意味している。
【０００９】
本発明の第２観点に係る空調室内機は、第１観点の空調室内機において、第１フレームと第２フレームとは、第１係合部が第２係合部の上方から重なるように配置されることで、据付板に支持される。この空調室内機では、第１係合部が第２係合部の上方から重なるように配置されることで第１フレーム及び第２フレームが据付板に支持されるため、第１フレーム及び第２フレームが据付板に支持されることで、第１フレームと第２フレームとが離れないようにすることができる。したがって、この空調室内機では、第１フレームと第２フレームとの連結箇所に使用されるビス等の締結部材の数を減らすことができる。
【００１０】
本発明の第３観点に係る空調室内機は、第１観点又は第２観点の空調室内機において、第１係合部及び／又は第２係合部は、上面部と、正面部と、背面部と、を含む。上面部は、水平に延びている。正面部は、上面部の下面から鉛直に延びている。背面部は、上面部の下面から鉛直に延びており、正面部よりも背面側に位置する。上面部、正面部及び背面部を切断すると、その断面はコの字状になる。このように、第１係合部及び／又は第２係合部の断面をコの字状に形成するだけの簡易な構成により、第１係合部及び／又は第２係合部を据付板の被係合部に上方から引っ掛けることができる。
【００１１】
本発明の第４観点に係る空調室内機は、第３観点の空調室内機において、第１係合部及び／又は第２係合部は、下方を開口させた箱状に形成されている。このように、第１係合部及び／又は第２係合部を箱状に形成することで、第１係合部及び／又は第２係合部の強度を高めることができる。
【００１２】
本発明の第５観点に係る空調室内機は、第３観点又は第４観点の空調室内機において、第１係合部及び／又は第２係合部は、上部から下方に向かって延びるリブを含む。このように、第１係合部及び／又は第２係合部がリブを含むことで、第１係合部及び／又は第２係合部の強度を高めることができる。
【００１３】
本発明の第６観点に係る空調室内機は、第１観点から第５観点のいずれかの空調室内機において、下吸込み経路を備えている。下吸込み経路は、下部に形成された下吸込み口から熱交換器に至る経路である。また、下吸込み経路は、第１フレーム及び第２フレームが共同して構成している。この空調室内機では、下吸込み経路を備えていることで、空調室内機の下部から室内の空気を吸い込むことができる。
【００１４】
本発明の第７観点に係る空調室内機は、第１観点から第６観点のいずれかの空調室内機において、第１係合部の内側面又は第２係合部の外側面には、凹凸が形成されている。第１係合部の内側面又は第２係合部の外側面に微小な凹凸が形成されていれば、第１係合部と第２係合部との摩擦に起因するきしみ音を抑制することができる。これにより、熱膨張等に起因したきしみ音を抑制することができる。
【発明の効果】
【００１５】
本発明の第１観点に係る空調室内機では、第２フレームが据付板に支持される場合であっても、空調室内機を室内の側壁面に安全に設置することができる。
【００１６】
本発明の第２観点に係る空調室内機では、第１フレームと第２フレームとの連結箇所に使用されるビス等の締結部材の数を減らすことができる。
【００１７】
本発明の第３観点に係る空調室内機では、簡易な構成により、第１係合部及び／又は第２係合部を据付板の被係合部に上方から引っ掛けることができる。
【００１８】
本発明の第４観点に係る空調室内機では、第１係合部及び／又は第２係合部の強度を高めることができる。
【００１９】
本発明の第５観点に係る空調室内機では、第１係合部及び／又は第２係合部の強度を高めることができる。
【００２０】
本発明の第６観点に係る空調室内機では、空調室内機の下部から室内の空気を吸い込むことができる。
【００２１】
本発明の第７観点に係る空調室内機では、熱膨張等に起因したきしみ音を抑制することができる。
【図面の簡単な説明】
【００２２】
【図１】本発明の一実施形態に係る空調室内機の斜視図。
【図２】本発明の一実施形態に係る空調室内機の概略断面図。
【図３】背面フレーム上部を概略的に示した断面図。
【図４】第１フレーム及び第２フレームの構成を概略的に示した模式図であって、（ａ）第１フレームの正面図、（ｂ）第２フレームの正面図。
【図５】背面フレーム及び据付板を概略的に示した模式図であって、（ａ）第１フレームの斜視図、（ｂ）第２フレームの斜視図、（ｃ）据付板の斜視図。
【図６】参考例の背面フレーム上部を概略的に示した断面図。
【図７】変形例Ｂに係る背面フレーム及び据付板を概略的に示した模式図であって、（ａ）第１フレームの斜視図、（ｂ）第２フレームの斜視図、（ｃ）据付板の斜視図。
【図８】変形例Ｃに係る背面フレーム及び据付板を概略的に示した模式図であって、（ａ）第１フレームの斜視図、（ｂ）第２フレームの斜視図、（ｃ）据付板の斜視図。
【図９】変形例Ｃに係る背面フレーム及び据付板を概略的に示した模式図であって、（ａ）第１フレームの斜視図、（ｂ）第２フレームの斜視図、（ｃ）据付板の斜視図。
【図１０】変形例Ｅに係る被支持部及び支持部の周辺を概略的に示した断面図。
【図１１】変形例Ｅに係る第１フレーム及び第２フレームの構成を概略的に示した模式図であって、（ａ）第１フレームの正面図、（ｂ）第２フレームの正面図。
【図１２】変形例Ｅに係る被支持部及び支持部の周辺を概略的に示した断面図。
【図１３】変形例Ｅに係る被支持部及び支持部の周辺を概略的に示した斜視図。
【図１４】変形例Ｅに係る被支持部及び支持部の周辺を概略的に示した断面図。
【発明を実施するための形態】
【００２３】
以下、図面を参照しながら、本発明の一実施形態に係る空調室内機１０について説明する。なお、以下の実施形態は、本発明の具体例であって、本発明の技術的範囲を限定するものではない。
【００２４】
（１）全体構成
図１は、本発明の一実施形態に係る空調室内機１０の斜視図である。図２は、本発明の一実施形態に係る空調室内機１０の概略断面図である。
【００２５】
なお、以下にいう「正面側」とは、図２における空調室内機１０の前側のことであり、「背面側」とは、図２における空調室内機１０の後側のことである。
【００２６】
本発明の一実施形態に係る空調室内機１０は据付板９０を介して室内の側壁Ｗ面に設置される壁掛け型の室内機であって、図１及び図２に示すように、本体ケーシング１１、フィルタ１２、フィルタ掃除機構１３、熱交換器１４及びファン１５を備えている。
【００２７】
本体ケーシング１１は、前面グリル１１ａと、前面パネル１１ｂと、背面フレーム１６と、を有しており、空調室内機１０の外郭を構成している。
【００２８】
前面グリル１１ａの上部前側には、空調室内機１０の上側から本体ケーシング１１内に室内の空気を吸込むための開口である上吸込み口８０が設けられている。
【００２９】
前面パネル１１ｂは、前面グリル１１ａの前側に配置されており、空調室内機１０の前面の一部を構成している。また、前面パネル１１ｂは、開口のないフラットな形状を成している。
【００３０】
背面フレーム１６は、本体ケーシング１１の背面を構成しており、室内の側壁Ｗ面に固定された据付板９０に支持される。また、背面フレーム１６は、２以上に分割された構成であり、本実施形態では、第１フレーム２０と、第１フレーム２０とは別体の第２フレーム３０とを有している。第１フレーム２０は、熱交換器１４を支持している。第２フレーム３０は、全部又はその大部分が、第１フレーム２０よりも背面側に配置されている。そして、前面グリル１１ａ、前面パネル１１ｂ及び第１フレーム２０によって形成される空間内に、フィルタ１２、フィルタ掃除機構１３、熱交換器１４及びファン１５等が収まっている。
【００３１】
熱交換器１４は、側面視において両端が下方に向いて屈曲する逆Ｖ字状の形状を呈しており、通過する空気との間で熱交換を行う。また、熱交換器１４は、第１フレーム２０に固定されている。
【００３２】
ファン１５は、室内から取り込んだ空気を、熱交換器１４に当てて通過させた後、室内に吹出すための送風装置であって、本実施形態ではクロスフローファンである。ファン１５は、熱交換器１４の下方に配置されている。
【００３３】
フィルタ１２は、前面グリル１１ａと熱交換器１４との間に、熱交換器１４の上側を覆うように配置されている。このため、フィルタ１２は、熱交換器１４に向かって流入してくる室内の空気に含まれる塵埃を捕捉することができる。また、この空調室内機１０には、フィルタ１２が自動で清掃されるようにフィルタ掃除機構１３が搭載されている。
【００３４】
また、本体ケーシング１１の下部には、本体ケーシング１１の長手方向に長い長方形状の吹出し口８１が設けられている。吹出し口８１は、熱交換器１４において熱交換された空気を吹出すための開口であって、吹出し経路８２を介して本体ケーシング１１の内部と繋がっている。吹出し口８１近傍には、吹出し口８１を開閉するための水平羽根１７が回動自在に取り付けられている。水平羽根１７は、本体ケーシング１１の長手方向に長い板状の部材であって、モータ（図示せず）によって駆動して傾斜角度が異なる複数の姿勢を採ることで、吹出し空気の上下方向の流れを変更することができる。
【００３５】
そして、上吸込み口８０近傍の室内の空気は、ファン１５の稼働によって、上吸込み口８０、フィルタ１２及び熱交換器１４を経てファン１５に吸い込まれ、ファン１５から吹出し経路８２を経て吹出し口８１から吹出される。
【００３６】
なお、ファン１５の回転数や水平羽根１７の角度調整等の制御は、本体ケーシング１１内に収納された制御装置（図示せず）によって行われている。
【００３７】
また、空調室内機１０の具体的な構成は、上記のものに限定されるものではなく、分割された構成の背面フレームが据付板に支持される空調室内機であれば他の機器構成であってもよい。
【００３８】
（２）詳細構成
（２−１）背面フレームの構成
図３は、第１フレーム２０及び第２フレーム３０が据付板９０に支持された状態の背面フレーム１６上部を概略的に示した断面図である。図４は、第１フレーム２０及び第２フレーム３０の構成を概略的に示した模式図であって、（ａ）は第１フレーム２０の正面図であり、（ｂ）は第２フレーム３０の正面図である。図５は、背面フレーム１６及び据付板９０を概略的に示した模式図であって、（ａ）は第１フレーム２０の斜視図であり、（ｂ）は第２フレーム３０の斜視図であり、（ｃ）は据付板９０の斜視図である。なお、図４（ａ）では、第１フレーム２０と熱交換部１４ａとの位置関係を示すために、熱交換部１４ａの外郭を一点鎖線で示している。
【００３９】
空調室内機１０は据付板９０を介して室内の側壁Ｗ面に設置されるが、具体的には、本体ケーシング１１が室内の側壁Ｗ面に固定された据付板９０に支持されることで、空調室内機１０が室内の側壁Ｗ面に設置されている。また、本体ケーシング１１に含まれる背面フレーム１６も据付板９０に支持されている。そして、本発明に係る背面フレーム１６の有する第１フレーム２０及び第２フレーム３０は、いずれも据付板９０に支持されている。
【００４０】
また、本実施形態では、本体ケーシング１１の下部には吹出し口８１よりも背面側に下吸込み口８３が形成されている。下吸込み口８３は、下吸込み口８３から上方へと延びる下吸込み経路８４を介して本体ケーシング１１の内部と繋がっている。そして、下吸込み口８３近傍の室内空気は、ファン１５の稼動によって下吸込み口８３、下吸込み経路８４、フィルタ１２及び熱交換器１４を経てファン１５に吸い込まれ、ファン１５から吹出し経路８２を経て吹出し口８１から吹出される。なお、下吸込み経路８４は、第１フレーム２０と第２フレーム３０とが共同して形成している。
【００４１】
（２−１−１）第１フレーム
第１フレーム２０は、背面フレーム１６の前側を構成する部材であって、図２、図３、図４（ａ）及び図５（ａ）に示すように、第１下端部２１と、第１流路形成部２２と、ドレンパン形成部２３と、第１係合部２５と、開口形成部２４と、熱交換器支持部２６と、を有している。
【００４２】
第１下端部２１は、第１フレーム２０の一端（下端）を含んでおり、吹出し口８１の近傍に位置している。第１下端部２１は、例えば、図２に示すように、第１流路形成部２２に対して屈曲しており、第２フレーム３０に固定されている。なお、第１下端部２１は、第２フレーム３０に固定されていなくても、本体ケーシング１１に固定されていればよい。
【００４３】
第１流路形成部２２は、ファン１５の背面側から第１下端部２１へと滑らかに延びるスクロール状になっている。また、第１流路形成部２２は、第１前面２２ａと、第１前面２２ａとは反対側の面である第１背面２２ｂとを含んでいる。そして、第１前面２２ａが、吹出し経路８２の一部を構成しており、第１背面２２ｂが下吸込み経路８４の一部を構成している。
【００４４】
ドレンパン形成部２３は、熱交換器１４から滴下するドレン水を受けるためのドレンパンを構成しており、例えば、図２に示すように、第１流路形成部２２上端から分岐するように構成されている。ドレンパン形成部２３は、第１流路形成部２２上端から上方に延びる正面側受部２３ａと、正面側受部２３ａよりも背面側で第１流路形成部２２上端から上方に延びる背面側受部２３ｂと、を有する。正面側受部２３ａは、熱交換器１４においてファン１５の後方に位置する熱交換部１４ａとファン１５との間に位置しており、熱交換部１４ａ下部の正面側を覆っている。背面側受部２３ｂは、熱交換部１４ａ下部の下方に位置しており、熱交換部１４ａ下部の下側と背面側とを覆っている。そして、正面側受部２３ａ及び背面側受部２３ｂから構成されたドレンパンは、熱交換部１４ａの下部に位置する受け皿のようになるため、主に熱交換部１４ａで発生したドレン水を受けることができる。
【００４５】
第１係合部２５は、第１フレーム２０の他端（上端）を含んでおり、空調室内機１０の上部背面側に位置している。第１係合部２５は、据付板９０の有する被係合部９１に上方から引っ掛かり可能なように構成されており、例えば、図３及び図５（ａ）に示すように、断面がコの字状になるように設けられている。第１係合部２５が据付板９０の有する被係合部９１に係合することで、第１フレーム２０が据付板９０に支持される。
【００４６】
第１係合部２５は、水平に延びる第１上面部２５ａと、第１上面部２５ａの下面から鉛直に延びる第１正面部２５ｂと、第１正面部２５ｂの下面から鉛直に延びる第１背面部２５ｃと、を有している。また、図３に示すように、第１係合部２５が被係合部９１に係合した状態で、第１背面部２５ｃは第１正面部２５ｂよりも背面側に位置している。
【００４７】
なお、第１上面部２５ａは必ずしも水平に延びている必要はなく、例えば上方に湾曲していてもよい。また、第１正面部２５ｂ及び第１背面部２５ｃは必ずしも鉛直に延びている必要はなく、例えば第１上面部２５ａから斜め下方に延びていてもよい。このように、第１係合部２５は上記形状に限定されず、その断面が、例えば、Ｌ字状、Ｕ字状、Ｊ字状又はＶ字状等、据付板９０の被係合部９１に係合可能な形状であればよく、据付板９０の被係合部９１の形状によって変更されてもよい。
【００４８】
開口形成部２４は、背面側受部２３ｂ側から第１係合部２５側に向かって上方に向かって延びており、背面側受部２３ｂ上端と第１係合部２５の第１正面部２５ｂ下端とを繋いでいる。また、開口形成部２４には、下吸込み口８３から吸い込まれ下吸込み経路８４を経た空気を熱交換器１４に送り込むための開口２４ａが形成されている。開口２４ａは、図４（ａ）に示すように、第１フレーム２０の長手方向（幅方向）に長い長方形状に形成されている。
【００４９】
熱交換器支持部２６は、図４（ａ）に示すように、第１フレーム２０の長手方向（幅方向）両端部に設けられており、熱交換器１４の両端を支持するように構成されている。熱交換器１４が熱交換器支持部２６に支持されることで、第１フレーム２０が熱交換器１４を支持する構成になっている。そして、第１フレーム２０は第１係合部２５が据付板９０の被係合部９１に引っ掛かることで据付板９０に支持される構成であるため、据付板９０は熱交換器１４等の重量を受ける第１フレーム２０を下方から支持することになる。
【００５０】
（２−１−２）第２フレーム
第２フレーム３０は、背面フレーム１６の背面側を構成する部材であって、図２、図３，図４（ｂ）及び図５（ｂ）に示すように、第２下端部３１と、第２流路形成部３２と、第２係合部３３と、を有している。
【００５１】
第２下端部３１は、第２フレーム３０の一端（下端）を含んでおり、第１フレーム２０の第１下端部２１が固定されている。また、第２下端部３１は、図２に示すように、水平に延びる下面部３１ａを含む。下面部３１ａには、第２フレーム３０の長手方向（幅方向）に長い開口である下吸込み口８３が形成されている。下吸込み口８３には、モータ（図示せず）の駆動により下吸込み口８３を開閉する開閉板１９が設けられている。
【００５２】
第２流路形成部３２は、第１フレーム２０の第１流路形成部２２と共に下吸込み経路８４を構成している。具体的には、第２流路形成部３２は、第２前面３２ａと第２背面３２ｂとを含んでおり、第２前面３２ａが第１フレーム２０の第１背面２２ｂと共に下吸込み経路８４を構成しており、第２背面３２ｂは空調室内機１０の背面側の外面を構成している。また、第２流路形成部３２の上部は据付板９０に概ね沿ったフラットな形状になっており、第２流路形成部３２の下部は据付板９０との間に冷媒管等の配管を配置できるように正面側に屈曲した形状になっている。
【００５３】
第２係合部３３は、第２フレーム３０の他端（上端）を含んでおり、空調室内機１０の上部背面側に位置している。第２係合部３３は、据付板９０の有する被係合部９１に上方から引っ掛かり可能なように構成されており、例えば、図３及び図５（ｂ）に示すように、断面がコの字状になるように設けられている。第２係合部３３が据付板９０の有する被係合部９１に係合することで、第２フレーム３０が据付板９０に支持される。
【００５４】
第２係合部３３は、水平に延びる第２上面部３３ａと、第２上面部３３ａの下面から鉛直に延びる第２正面部３３ｂと、第２正面部３３ｂの下面から鉛直に延びる第２背面部３３ｃと、を有している。また、第２係合部３３が被係合部９１に係合した状態で、第２背面部３３ｃは第２正面部３３ｂよりも背面側に位置している。なお、第２上面部３３ａは必ずしも水平に延びている必要はなく、例えば上方に湾曲していてもよい。また、第２正面部３３ｂ及び第２背面部３３ｃは必ずしも鉛直に延びている必要はなく、例えば第２上面部３３ａから斜め下方に延びていてもよい。このように、第２係合部３３は上記形状に限定されず、その断面が、例えば、Ｌ字状、Ｕ字状、Ｊ字状又はＶ字状等、据付板９０の被係合部９１に係合可能な形状であればよく、据付板９０の被係合部９１の形状によって変更されてもよい。
【００５５】
ここで、本実施形態の背面フレーム１６は分割された構成であるため、第１フレーム２０と第２フレーム３０とは、ビス等の締結部材（図示せず）によって複数箇所が連結されている。この締結部材によって連結される連結箇所としては、例えば、第１正面部２５ｂと第２正面部３３ｂとの接触部分がある。
【００５６】
また、本実施形態では、図３に示すように、第１係合部２５及び第２係合部３３が据付板９０の被係合部９１に係合した状態で、第１係合部２５が第２係合部３３の上方から重なるように配置されている。すなわち、第１フレーム２０及び第２フレーム３０が据付板９０に支持された状態では、第２係合部３３は、第１係合部２５と被係合部９１との間に挟まれている。このため、第１係合部２５の第１上面部２５ａに当接する第２係合部３３の第２上面部３３ａには、第１フレーム２０の受ける熱交換器１４の重量がかかるため、第１上面部２５ａと第２上面部３３ａとが離間し難い構成になっている。
【００５７】
さらに、本実施形態では、第１上面部２５ａの長手方向（幅方向）の長さが、第２上面部３３ａの長手方向（幅方向）の長さよりも長くなるように構成されている。これにより、第１フレーム２０及び第２フレーム３０が据付板９０に支持された状態では、第２係合部３３の上側面（外側面）全体が、第１係合部２５の下側面（内側面）に覆われることになる。
【００５８】
（３）特徴
（３−１）
図６は、参考例として挙げる背面フレーム９１６上部を概略的に示した断面図である。
【００５９】
図６に示すように、背面フレーム９１６が第１フレーム９２０と第２フレーム９３０とに分割された構成であって、熱交換器を支持する第１フレーム９２０が据付板９９０に支持された第２フレーム９３０に支持される場合、第１フレーム９２０と第２フレーム９３０との連結箇所９５０に十分な強度が確保されていなければ、熱交換器の重量により連結箇所９５０に大きな力が加わることで背面フレーム９１６が折れてしまうおそれがある。
【００６０】
ここで、本実施形態では、第１フレーム２０及び第２フレーム３０は、背面フレーム１６が分割されて構成されている。そして、第１フレーム２０の第１係合部２５及び第２フレーム３０の第２係合部３３が、据付板９０の有する被係合部９１に上方から引っ掛かることで、第１フレーム２０及び第２フレーム３０が据付板９０に支持される。このため、第１フレーム２０が受ける熱交換器１４からの重量が第１フレーム２０及び第２フレームの連結箇所に集中しないようにすることができる。したがって、図６に示すように第１フレーム９２０が第２フレーム９３０に支持されることで据付板９９０に支持される場合と比較して、第１フレーム２０及び第２フレームの連結箇所に大きな力が作用しないようにすることができる。
【００６１】
これによって、分割した構成の背面フレーム１６において、第２フレーム３０が据付板９０に支持される場合であっても、空調室内機１０を室内の側壁Ｗ面に安全に設置することができている。
【００６２】
（３−２）
本実施形態では、第１フレーム２０及び第２フレーム３０が据付板９０に支持された状態で、第１係合部２５が第２係合部３３の上方から重なるように配置されている。第２係合部３３には、第１フレーム２０の受ける熱交換器１４の重量がかかるため、第１係合部２５と第２係合部３３とが離間し難い構成になっている。これにより、第１フレーム２０と第２フレーム３０との連結箇所に使用されるビス等の締結部材の数を減らすことができている。
【００６３】
（３−３）
本実施形態では、第１係合部２５及び第２係合部３３は、断面がコの字状になるように設けられている。このように、断面をコの字状に形成するだけの簡易な構成により、第１係合部２５及び第２係合部３３を据付板９０の被係合部９１に上方から引っ掛けることができている。
【００６４】
なお、本実施形態では、第１係合部２５の断面がコの字状であるため、第２フレーム３０の大部分が、すなわち、第２フレーム３０のうち第２背面部３３ｃを除く部分が、第１フレーム２０よりも背面側に配置されることになる。
【００６５】
（３−４）
本実施形態では、第１フレーム２０と第２フレーム３０とが共同して下吸込み経路８４を形成している。このように、下吸込み経路８４が設けられていることで、空調室内機１０の下方からも室内の空気を吸込むことができている。
【００６６】
（４）変形例
（４−１）変形例Ａ
上記実施形態では、背面フレーム１６を分割して構成された第１フレーム２０と第２フレーム３０との間に下吸込み経路８４が設けられているが、このような経路が設けられていなくてもよい。
【００６７】
例えば、上記実施形態の空調室内機１０において、下面部３１ａの下吸込み口８３及び開口形成部２４の開口２４ａが設けられておらず、背面フレーム１６の内部が閉じた空間であってもよい。このように、空調室内機の背面側に中空があることで断熱性を向上させることができるため、断熱材の使用量を削減することができる。
【００６８】
（４−２）変形例Ｂ
上記実施形態では、第１係合部２５及び第２係合部３３が据付板９０の被係合部９１に係合した状態で、第１係合部２５が第２係合部３３の上方から重なるように配置されている。
【００６９】
これに代えて、第１係合部及び第２係合部が据付板の被係合部に上方から引っ掛かることが可能であれば、第１係合部が第２係合部の上方から重なるように配置されていなくてもよい。
【００７０】
例えば、図７に示すように、第１係合部１２５ａ，１２５ｂと第２係合部１３３とが、第１フレーム１２０及び第２フレーム１３０の長手方向に並ぶように設けられていてもよい。第１係合部１２５ａ，１２５ｂ及び第２係合部１３３がこのような構成であれば、第１係合部１２５ａ，１２５ｂが引っ掛かる据付板１９０の被係合部１９１ａ，１９１ｂと、第２係合部１３３が引っ掛かる据付板１９０の被係合部１９１ｃとが別になる。これにより、第１フレーム１２０及び第２フレーム１３０が据付板１９０に支持された状態で、第１係合部１２５ａ，１２５ｂが第２係合部１３３の上方から重なることはないが、第１係合部１２５ａ，１２５ｂ及び第２係合部１３３はいずれも据付板１９０の被係合部１９１ａ，１９１ｂ，１９１ｃに上方から引っ掛かる構成になる。
【００７１】
なお、図７では、第１係合部１２５ａ，１２５ｂ及び第２係合部１３３は、下方を開口させた箱状に形成されているが、第１係合部及び第２係合部の形状はこれに限定されず、その断面が、例えば、Ｕ字状、Ｊ字状又はＶ字状等、据付板の被係合部に係合可能な形状であればよく、据付板の被係合部の形状によって変更されてもよい。
【００７２】
（４−３）変形例Ｃ
上記実施形態では、第１係合部２５及び第２係合部３３の断面がコの字状になるように形成されている。
【００７３】
これに代えて、第１係合部２５又は第２係合部３３のいずれかの断面がコの字状になるように形成されていてもよい。
【００７４】
また、第１係合部２５及び／又は第２係合部３３が、下方を開口させた箱状に形成されていてもよい。例えば、第１係合部２５が側方に開口していないことで、第１正面部２５ｂと第１背面部２５ｃとがそれぞれの離れる方向へと開き難くなるため、第１係合部２５の強度を増加させることができる。
【００７５】
さらに、第１係合部２５又は第２係合部３３に、補強用のリブが設けられていてもよい。例えば、図８に示すように、下方を開口させた箱状に形成された第２係合部２３３の上部にあたる第２上面部２３３ａの下面から下方に向かって延びるリブ２３４ａ，２３４ｂが設けられていてもよい。この場合、図８に示すように、第１係合部２２５が下方を開口させた箱状に形成されていてもよく、据付板２９０の被係合部２９１にはリブ２３４ａ，２３４ｂが位置する部分に切り欠き２９１ａ，２９１ｂが設けられていてもよい。
【００７６】
また、図９に示すように、下方を開口させた箱状に形成された第１係合部３２５の上部にあたる第１上面部３２５ａの下面から下方に向かって延びるリブ３２７が設けられていたりしてもよい。この場合、図９に示すように、断面Ｌ字状に形成された第２係合部３３３においてリブ３２７が位置する部分に切り欠き３３５が設けられていてもよく、据付板３９０の被係合部３９１にはリブ３２７が位置する部分に切り欠き３９１ａが設けられていてもよい。
【００７７】
このように、第１係合部３２５又は第２係合部２３３にリブ２３４ａ，２３４ｂ，３２７が設けられていることで、第１係合部３２５の第１正面部３２５ｂと第１背面部３２５ｃとが、又は、第２係合部２３３の第２正面部２３３ｂと第２背面部２３３ｃとが、それぞれの離れる方向へと開き難くなるため、第１係合部３２５又は第２係合部２３３の強度を増加させることができる。
【００７８】
（４−４）変形例Ｄ
上記実施形態において、第１係合部２５の下側面（内側面）又は第２係合部３３の上側面（外側面）に、微小な凹凸が形成されていてもよい。第１係合部２５及び第２係合部３３が据付板９０の被係合部９１に係合した状態で接触する第１係合部２５の下側面又は第２係合部３３の上側面に第１係合部２５と第２係合部３３との摩擦に起因するきしみ音を抑制することのできる微小な凹凸が設けられていることで、熱膨張等に起因したきしみ音を抑制することができる。
【００７９】
なお、凹凸の形成方法としては、シボ加工、サンドブラス又は研磨等、平面が微細な凹凸形状に加工できれば、その形成方法は限定されない。
【００８０】
（４−５）変形例Ｅ
上記実施形態において、第１フレーム２０が、その上端以外の１又は複数の部分で、第２フレーム３０によって下方から支持される構成であってもよい。すなわち、第２フレーム３０が、第１フレーム２０の被支持部を支持する支持部を有していてもよい。
【００８１】
まず、第１フレーム２０の有する被支持部６０及び第２フレーム３０の有する支持部６１が、ファンの回転中心よりも高い位置であって、第１フレーム２０の上端近傍及び第２フレーム３０の上端近傍にある場合について図１０、図１１及び図１２を用いて説明する。
【００８２】
例えば、図１０及び図１１に示すように、第１フレーム２０の被支持部６０が、開口形成部２４において、開口２４ａの上縁よりも上方に位置している場合、第２フレーム３０の支持部６１は、第２流路形成部３２の上部に設けられる。
【００８３】
被支持部６０は、支持部６１に係合可能なように構成されており、例えば、図１０に示すように、第１フレーム２０側から第２フレーム３０側に向かって突出している。さらに、被支持部６０は、図１１（ａ）に示すように、複数（ここでは、４つ）設けられている。
【００８４】
より詳しくは、被支持部６０は、開口形成部２４の背面２４ｂから背面側に向かって延びる第１部分６０ａと、第１部分６０ａの下面から鉛直に突出する被支持用突起６０ｂと、を有している。なお、ここでは、第１部分６０ａが、下面が水平に延びており、かつ、先端に向かうほど幅が小さくなる先細り形状（側面視が三角形状）に形成されているが、必ずしもその必要はなく、例えば、上方に湾曲していてもよい。また、被支持用突起６０ｂは必ずしも鉛直に延びている必要はなく、例えば、第１部分６０ａから斜め下方に延びていてもよい。このように、被支持部６０は上記形状に限定されず、その断面が、例えば、Ｌ字状、Ｕ字状、Ｊ字状又はＶ字状等、支持部６１に係合可能な形状であればよい。
【００８５】
支持部６１は、第１フレーム２０の被支持部６０に係合可能なように構成されており、例えば、図１０に示すように、第２フレーム３０側から第１フレーム２０側に向かって突出している。さらに、本実施形態では、支持部６１は、図１１（ｂ）に示すように、複数（ここでは、４つ）設けられている。
【００８６】
より詳しくは、支持部６１は、第２流路形成部３２の第２前面３２ａから正面側に向かって延びる第２部分６１ａと、第２部分６１ａの上面から鉛直に突出する支持用突起６１ｂと、を有している。なお、第２部分６１ａは、上面が水平に延びており、かつ、先端に向かうほど幅が小さくなる先細り形状（側面視が三角形状）に形成されているが、必ずしもその必要はなく、例えば、下方に湾曲していてもよい。また、支持用突起６１ｂは必ずしも鉛直に延びている必要はなく、例えば、第２部分６１ａから斜め上方に延びていてもよい。このように、支持部６１は上記形状に限定されず、その断面が、例えば、Ｌ字状、Ｕ字状、Ｊ字状又はＶ字状等、被支持部６０が係合可能な形状であればよい。
【００８７】
また、図１２に示すように、支持部６１が、被支持部６０の係合する開口部を含むものであってもよい。図１２に示す支持部６１は、第２流路形成部３２の一部であり、第２流路形成部３２上部において開口Ｏが形成された部分のことである。この場合、被支持部６０は、例えば、第１フレーム側から第２フレーム側に向かって突出している。そして、被支持部６０先端部の被支持用突起６０ｂが開口下部に引っ掛かることで被支持部６０が支持部６１に係合する。このように支持部６１に開口Ｏを形成し、開口下部に被支持部６０の被支持用突起６０ｂを引っ掛けるだけの簡易な構成により、被支持部６０を支持部６１に係合させることができる。
【００８８】
次に、第１フレームの有する被支持部６０及び第２フレームの有する支持部６１が、ファンの回転中心よりも低い位置であって、第１フレームの下部及び第２フレームの下部にある場合について図１３及び図１４を用いて説明する。
【００８９】
例えば、図１３に示すように、第１フレームの被支持部６０が、第１下端部２１の下端に位置している場合、第２フレームの支持部６１は、第２下端部３１の下端（先端）に設けられる。
【００９０】
被支持部６０は、第１フレームの長手方向（幅方向）に沿って下方に突出した被支持用突起６０ｂを含む。なお、被支持部６０の形状はこれに限定されず、下方から支持部６１に支持される構成であればよい。
【００９１】
支持部６１は、例えば、断面がコの字状になるように設けられており、ここでは、図１３に示すように、上方が開口した箱状に形成されている。このため、本実施形態の支持部６１は、底面を含む溝部Ｃを有しているといえる。また、支持部６１は、被支持部６０の被支持用突起６０ｂが溝部Ｃに嵌るように、第２フレームの長手方向（幅方向）に沿って設けられている。そして、被支持部６０の被支持用突起６０ｂが上方から溝部Ｃに係合することで、支持部６１は被支持部６０を下方から支持することができる。なお、支持部６１の形状はこれに限定されず、被支持部６０を下方から支持することができる構成であればよい。
【００９２】
また、図１４に示すように、被支持部６０が第１フレーム側から第２フレーム側に向かって斜め下方に延びるように設けられており、支持部６１が第２下端部３１において第２流路形成部３２に近い側の端部に設けられていてもよい。
【００９３】
被支持部６０は、第１流路形成部２２に複数設けられている。また、被支持部６０は、板状のリブ部６０ｃと、被支持用突起６０ｂとを有する。リブ部６０ｃは、先端に向かうほど幅が小さくなる先細り形状（側面視が三角形状）になるように形成されている。また、リブ部６０ｃは、第１流路形成部２２の第１背面２２ｂから背面側下方に向かって延びている。被支持用突起６０ｂは、支持部６１に係合可能なように構成されており、リブ部６０ｃの先端から下方に向かって突出している。なお、被支持部６０の形状はこれに限定されず、下方から支持部６１に支持される構成であればよい。
【００９４】
また、支持部６１は、例えば、図１４に示すように、断面がコの字状になるように設けられており、底面を含む溝部Ｃを有している。また、支持部６１は、被支持部６０の被支持用突起６０ｂが上方から溝部Ｃに係合するように、被支持部６０に対向する位置に設けられている。そして、被支持部６０の被支持用突起６０ｂが上方から溝部Ｃに係合することで、支持部６１は被支持部６０を下方から支持することができる。なお、支持部６１の形状はこれに限定されず、被支持部６０を下方から支持することができる構成であればよい。
【００９５】
このように、第１フレーム２０及び第２フレーム３０の上端以外の上部及び／又は下部において、第１フレーム２０の被支持部６０が第２フレーム３０の支持部６１に下方から支持されることで、第１フレーム２０と第２フレーム３０との連結箇所に大きな力が作用し難くなるため、第１フレーム２０と第２フレーム３０との連結箇所の強度を確保しやすくなる。また、被支持部６０が支持部６１に支持されることで、第１フレーム２０と第２フレーム３０とが離間し難くなるため、第１フレーム２０と第２フレーム３０との連結箇所に使用されるビス等の締結部材の数を減らすことができる。
【産業上の利用可能性】
【００９６】
本発明は、熱交換器を支持するフレーム以外のフレームが据付板に支持される場合であっても、室内の側壁面に安全に設置することができる空調室内機に関する発明であり、熱交換器を支持するフレームとそれ以外のフレームとに分割して構成された背面フレームを備えた空調室内機への適用が有効である。
【符号の説明】
【００９７】
１０      空調室内機
１４      熱交換器
１６      背面フレーム
２０      第１フレーム
２５      第１係合部
２５ａ    第１上面部（上面部）
２５ｂ    第１正面部（正面部）
２５ｃ    第１背面部（背面部）
２６      熱交換器支持部
３０      第２フレーム
３３      第２係合部
３３ａ    第２上面部（上面部）
３３ｂ    第２正面部（正面部）
３３ｃ    第２背面部（背面部）
８３      下吸込み口
８４      下吸込み経路
９０      据付板
９１      被係合部
２３４ａ，２３４ｂ，３２７  リブ
【先行技術文献】
【特許文献】
【００９８】
【特許文献１】特開２００１−１１６３４６号公報
【図１】
2014185794.tif 000003
【図２】
2014185794.tif 000004
【図３】
2014185794.tif 000005
【図４】
2014185794.tif 000006
【図５】
2014185794.tif 000007
【図６】
2014185794.tif 000008
【図７】
2014185794.tif 000009
【図８】
2014185794.tif 000010
【図９】
2014185794.tif 000011
【図１０】
2014185794.tif 000012
【図１１】
2014185794.tif 000013
【図１２】
2014185794.tif 000014
【図１３】
2014185794.tif 000015
【図１４】
2014185794.tif 000016